【手続補正書】
【提出日】平成19年12月17日(2007.12.17)
【手続補正１】
【補正対象書類名】明細書
【補正対象項目名】発明の名称
【補正方法】変更
【補正の内容】
【発明の名称】撮像装置、及び撮像装置の制御方法
【手続補正２】
【補正対象書類名】明細書
【補正対象項目名】特許請求の範囲
【補正方法】変更
【補正の内容】
【特許請求の範囲】
【請求項１】  被写体光を受光し、画像信号を形成する撮像手段と、
露出制御として自動露出制御とマニュアル露出制御の何れかを設定可能な第１の設定手段と、
前記撮像手段から出力された画像信号に対して露出制御と所定の画像処理を施して表示する表示手段と、
前記画像信号を処理して記憶することを開始させる撮影開始操作手段と、
前記表示手段に自動露出制御が行われた画像を表示するための第２の設定手段と、
前記第１の設定手段によりマニュアル露出制御が設定されている場合に、前記撮影開始操作手段による操作が行われる前は、前記第２の設定手段による設定が行われているか否かに応じて、自動露出制御を行うかマニュアル露出制御を行うかを選択し、選択された露出制御により画像信号の露出制御を行い、前記所定の画像処理を施し、前記表示手段に表示する制御を行う制御手段とを有することを特徴とする撮像装置。
【請求項２】  前記制御手段は、前記第１の設定手段によりマニュアル露出制御が設定されており、前記撮影開始操作手段による操作が行われる前に、前記第２の設定手段による設定が行われている場合には、自動露出制御で画像信号の露出制御を行い、前記所定の画像処理を施し、前記表示手段に表示し、
前記第２の設定手段による設定が行われていない場合には、マニュアル露出制御で画像信号の露出制御を行い、前記所定の画像処理を施し、前記表示手段に表示することを特徴とする請求項１に記載の撮像装置。
【請求項３】  前記第２の設定手段は、操作部材による自動露出表示設定、又は、ストロボ撮影の設定のうち少なくとも何れか一方がされた場合に、前記表示手段に自動露出制御が行われた画像を表示する設定を行うことを特徴とする請求項１又は２に記載の撮像装置。
【請求項４】  被写体光を受光し、画像信号を形成する撮像手段と、
露出制御として自動露出制御とマニュアル露出制御の何れかを設定可能な第１の設定手段と、
前記撮像手段から出力された画像信号に対して露出制御と所定の画像処理を施して表示する表示手段と、
前記画像信号を処理して記憶することを開始させる撮影開始操作手段と、
ストロボ撮影可能か否かを検査する検査手段と、
前記第１の設定手段によりマニュアル露出制御が設定されている場合に、前記撮影開始操作手段による操作が行われる前は、前記検査手段による検査結果に応じて、自動露出制御を行うかマニュアル露出制御を行うかを選択し、選択された露出制御により画像信号の露出制御を行い、前記所定の画像処理を施し、前記表示手段に表示する制御を行う制御手段とを有することを特徴とする撮像装置。
【請求項５】  前記制御手段は、前記第１の設定手段によりマニュアル露出制御が設定されており、前記撮影開始操作手段による操作が行われる前に、前記検査手段が、ストロボ撮影可能と判断した場合には、自動露出制御で画像信号の露出制御を行い、前記所定の画像処理を施し、前記表示手段に表示し、
前記検査手段が、ストロボ撮影ができないと判断した場合には、マニュアル露出制御で画像信号の露出制御を行い、前記所定の画像処理を施し、前記表示手段に表示することを特徴とする請求項４に記載の撮像装置。
【請求項６】  前記検査手段は、ストロボ撮影が可能か否かを、ストロボが充電完了しているか否かによって判断することを特徴とする請求項４又は５に記載の撮像装置。
【請求項７】  被写体光を受光し、画像信号を形成する撮像工程と、
露出制御として自動露出制御とマニュアル露出制御の何れかを設定可能な第１の設定工程と、
前記撮像工程から出力された画像信号に対して露出制御と所定の画像処理を施して表示装置に表示する表示工程と、
前記画像信号を処理して記憶媒体に記憶する処理を開始させる撮影開始操作工程と、
前記表示工程で自動露出制御が行われた画像を表示するための第２の設定工程と、
前記第１の設定工程によりマニュアル露出制御が設定されている場合に、前記撮影開始操作工程による処理が行われる前は、前記第２の設定工程による設定が行われているか否かに応じて、自動露出制御を行うかマニュアル露出制御を行うかを選択し、選択された露出制御により画像信号の露出制御を行い、前記所定の画像処理を施し、前記表示工程で表示する制御を行う制御工程とを有することを特徴とする撮像装置の制御方法。
【請求項８】  被写体光を受光し、画像信号を形成する撮像工程と、
露出制御として自動露出制御とマニュアル露出制御の何れかを設定可能な第１の設定工程と、
前記撮像工程から出力された画像信号に対して露出制御と所定の画像処理を施して表示装置に表示する表示工程と、
前記画像信号を処理して記憶媒体に記憶する処理を開始させる撮影開始操作工程と、
ストロボ撮影可能か否かを検査する検査工程と、
前記第１の設定工程によりマニュアル露出制御が設定されている場合に、前記撮影開始操作工程による処理が行われる前は、前記検査工程による検査結果に応じて、自動露出制御を行うかマニュアル露出制御を行うかを選択し、選択された露出制御により画像信号の露出制御を行い、前記所定の画像処理を施し、前記表示工程で表示する制御を行う制御工程とを有することを特徴とする撮像装置の制御方法。
【手続補正３】
【補正対象書類名】明細書
【補正対象項目名】０００１
【補正方法】変更
【補正の内容】
【０００１】
【発明の属する技術分野】
本発明は、マニュアルによる露出制御モードを含む露出制御モード選択を可能とした撮像装置、及び撮像装置の制御方法に関する。
【手続補正４】
【補正対象書類名】明細書
【補正対象項目名】００１２
【補正方法】変更
【補正の内容】
【００１２】
【課題を解決するための手段】
本発明の撮像装置は、被写体光を受光し、画像信号を形成する撮像手段と、露出制御として自動露出制御とマニュアル露出制御の何れかを設定可能な第１の設定手段と、前記撮像手段から出力された画像信号に対して露出制御と所定の画像処理を施して表示する表示手段と、前記画像信号を処理して記憶することを開始させる撮影開始操作手段と、前記表示手段に自動露出制御が行われた画像を表示するための第２の設定手段と、前記第１の設定手段によりマニュアル露出制御が設定されている場合に、前記撮影開始操作手段による操作が行われる前は、前記第２の設定手段による設定が行われているか否かに応じて、自動露出制御を行うかマニュアル露出制御を行うかを選択し、選択された露出制御により画像信号の露出制御を行い、前記所定の画像処理を施し、前記表示手段に表示する制御を行う制御手段とを有することを特徴とする。
また、本発明の撮像装置は、被写体光を受光し、画像信号を形成する撮像手段と、露出制御として自動露出制御とマニュアル露出制御の何れかを設定可能な第１の設定手段と、前記撮像手段から出力された画像信号に対して露出制御と所定の画像処理を施して表示する表示手段と、前記画像信号を処理して記憶することを開始させる撮影開始操作手段と、ストロボ撮影可能か否かを検査する検査手段と、前記第１の設定手段によりマニュアル露出制御が設定されている場合に、前記撮影開始操作手段による操作が行われる前は、前記検査手段による検査結果に応じて、自動露出制御を行うかマニュアル露出制御を行うかを選択し、選択された露出制御により画像信号の露出制御を行い、前記所定の画像処理を施し、前記表示手段に表示する制御を行う制御手段とを有することを特徴とする。
また、本発明の撮像装置の制御方法は、被写体光を受光し、画像信号を形成する撮像工程と、露出制御として自動露出制御とマニュアル露出制御の何れかを設定可能な第１の設定工程と、前記撮像工程から出力された画像信号に対して露出制御と所定の画像処理を施して表示装置に表示する表示工程と、前記画像信号を処理して記憶媒体に記憶する処理を開始させる撮影開始操作工程と、前記表示工程で自動露出制御が行われた画像を表示するための第２の設定工程と、前記第１の設定工程によりマニュアル露出制御が設定されている場合に、前記撮影開始操作工程による処理が行われる前は、前記第２の設定工程による設定が行われているか否かに応じて、自動露出制御を行うかマニュアル露出制御を行うかを選択し、選択された露出制御により画像信号の露出制御を行い、前記所定の画像処理を施し、前記表示工程で表示する制御を行う制御工程とを有することを特徴とする。
また、本発明の撮像装置の制御方法は、被写体光を受光し、画像信号を形成する撮像工程と、露出制御として自動露出制御とマニュアル露出制御の何れかを設定可能な第１の設定工程と、前記撮像工程から出力された画像信号に対して露出制御と所定の画像処理を施して表示装置に表示する表示工程と、前記画像信号を処理して記憶媒体に記憶する処理を開始させる撮影開始操作工程と、ストロボ撮影可能か否かを検査する検査工程と、前記第１の設定工程によりマニュアル露出制御が設定されている場合に、前記撮影開始操作工程による処理が行われる前は、前記検査工程による検査結果に応じて、自動露出制御を行うかマニュアル露出制御を行うかを選択し、選択された露出制御により画像信号の露出制御を行い、前記所定の画像処理を施し、前記表示工程で表示する制御を行う制御工程とを有することを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１７
【補正方法】変更
【補正の内容】
【００１７】
【発明の実施の形態】
以下、図面を用いて、本発明の撮像装置、及び撮像装置の制御方法についての実施の形態を説明する。